(57)【要約】  本発明は使用者の体形に合わせた構造を有する肩掛け式多用途掛け具に関するもので、側面に延長される連結部を形成し、肩峰に接触する凹部が形成された第１支持部と；第１支持部から延長されて、棘上筋に上げられる第２支持部と；第１支持部と第２支持部とが連結される部位に湾入されて形成された湾入部と；を含むことを特徴とする体形に合わせた構造を有する肩掛け式多用途掛け具を提供する。本発明は、使用者の肩の構造に合わせて形状化されているので、使用者は肩に不便を感じることなく楽に輸液をすることができるという効果を奏する。
2014528320.tif 000002
【特許請求の範囲】
【請求項１】
側面に延長される連結部を形成しながら肩峰に接触する凹部が形成された第１支持部と；
前記第１支持部から延長されて棘上筋に上げられる第２支持部と；
前記第１支持部と前記第２支持部とが連結される部位に湾入されて形成された湾入部と；を含むことを特徴とする体形に合わせた構造を有する肩掛け式多用途掛け具。
【請求項２】
前記第１支持部には、前記第１支持部に連結される第１掛け台と；前記第１掛け台の端部に連結される第２掛け台とを含むことを特徴とする請求項１に記載の体形に合わせた構造を有する肩掛け式多用途掛け具。
【請求項３】
前記第１掛け台は、前記第１支持部の上面と成す角度が鈍角であることを特徴とする請求項２に記載の体形に合わせた構造を有する肩掛け式多用途掛け具。
【請求項４】
前記第１掛け台は、前記第１支持部と相対回転が可能に設置されることを特徴とする請求項２に記載の体形に合わせた構造を有する肩掛け式多用途掛け具。
【請求項５】
前記第２掛け台には輸液が盛られた容器を保持するホルダーが形成され、
前記ホルダーは、
前記第２掛け台の下部に形成され、一側に輸液注入口を収容するように第１溝が形成され、他側に輸液排出口を収容するように第２溝が形成されて、輸液が盛られた容器を支持する第１支持台と；
前記第１支持台の中間部に位置して、輸液が盛られた容器を支持する第２支持台と；
前記第２掛け台の上部に位置する突起が少なくとも一つ以上形成された係止部と；を含むことを特徴とする請求項２に記載の体形に合わせた構造を有する肩掛け式多用途掛け具。
【請求項６】
前記第２掛け台は前記第１掛け台で高さ調節可能に形成されることを特徴とする請求項２に記載の体形に合わせた構造を有する肩掛け式多用途掛け具。
【請求項７】
前記第１支持部または前記第２支持部の中の少なくとも何れか一つの下部には緩衝部を含むことを特徴とする請求項１に記載の体形に合わせた構造を有する肩掛け式多用途掛け具。
【請求項８】
前記第２支持部は前記第１支持部から延長されて拡張される面積を有するように形成され、前記湾入部は前記第１支持部の連結部と前記第２支持部との間の間隔が前記第１支持部と前記第２支持部とが連結される部位に行くほど細くなるように形成されて、鎖骨と接触されることが防止されることを特徴とする請求項１に記載の体形に合わせた構造を有する肩掛け式多用途掛け具。
【請求項９】
前記第１支持部の内面は前記肩峰の外形に合わせて同じ形状に形成され、前記第２支持部の内面は前記棘上筋の外形に合わせて同じ形状に形成され、前記湾入部には前記鎖骨が位置するように形成されることを特徴とする請求項１に記載の体形に合わせた構造を有する肩掛け式多用途掛け具。
【請求項１０】
前記湾入部には前記鎖骨の突出外形と同じ形状を成すように形成されたアーチ部を含むことを特徴とする請求項１に記載の体形に合わせた構造を有する肩掛け式多用途掛け具。
【請求項１１】
前記第２支持部にはバンドホールが形成されたことを特徴とする請求項１に記載の体形に合わせた構造を有する肩掛け式多用途掛け具。
【請求項１２】
前記第１支持部の端部には掛け台が設置される回転部を有することを特徴とする請求項１に記載の体形に合わせた構造を有する肩掛け式多用途掛け具。
【請求項１３】
前記連結部は、前記支持部の端部で回動可能に設置されるヒンジ部と；
前記ヒンジ部で延長され、前記第１支持部に支持される延長部と；を含むことを特徴とする請求項１に記載の体形に合わせた構造を有する肩掛け式多用途掛け具。
【発明の詳細な説明】
【技術分野】
【０００１】
本発明は使用者の体形に合わせた構造を有する肩掛け式多用途掛け具に関するものである。
【背景技術】
【０００２】
使用者が病気を治療したり検査を受けるために病院に入院すると、大部分の使用者は初日から輸液を打つ。手術を受けた使用者は輸液とともに手術を受けた部位の痛症を軽減させてくれる無痛注射を打つ。
【０００３】
一般的に、使用者はキャスターが付いている移動式輸液スタンドの上部に形成されているフックに輸液または無痛注射をかけ、移動式輸液スタンドのグリップを取って移動するため非常に不便である。特に、手術を受けた患者は早く回復するために、医者から運動を勧誘される。輸液及び無痛注射を打っている使用者はキャスターが付いている移動式輸液スタンドを引いてトイレに行ったり、病院の廊下で軽い運動をするために、使用者自ら移動式輸液スタンドを引きながら移動しなければならなく、非常に不便な問題があった。
【０００４】
上記のような問題点を解決するために、韓国公開実用新案第２００９−００１０１２０号公報には、輸液肩掛け式掛け具が開示されている。しかし、輸液瓶などが不安定に支持されているため、患者が歩く時、輸液瓶が揺れる（揺動する）問題が発生する。
【０００５】
また、肩掛け具の部分が使用者の肩の棘上筋、鎖骨、肩峰などで着用感が低下する問題点があって、痛症が誘発される問題があった。
【先行技術文献】
【特許文献】
【０００６】
【特許文献１】韓国公開実用新案第２００９−００１０１２０号公報
【発明の概要】
【発明が解決しようとする課題】
【０００７】
本発明は上述した問題を解決するために案出されたもので、体形に合わせた構造を有する肩掛け式多用途掛け具を提供することによって、使用者が輸液を打つ時、棘上筋、鎖骨、肩峰の部位で痛症などの不便がないようにすることにその目的がある。
【課題を解決するための手段】
【０００８】
上記のような課題を解決するために、本発明は側面に延長される連結部を形成しながら、肩峰に接触する凹部が形成された第１支持部と；上記第１支持部から延長されて、棘上筋に上げられる第２支持部と；上記第１支持部と上記第２支持部が連結される部位に湾入されて形成された湾入部と；を含むことを特徴とする体形に合わせた構造を有する肩掛け式多用途掛け具を含む。
【０００９】
また、上記第１支持部には、上記第１支持部に連結される第１掛け台と；上記第１掛け台の端部に連結される第２掛け台とを含むことを特徴とする体形に合わせた構造を有する肩掛け式多用途掛け具を含む。
【００１０】
また、上記第１掛け台は、上記第１支持部の上面と成す角度が鈍角であることを特徴とする体形に合わせた構造を有する肩掛け式多用途掛け具を含む。
【００１１】
また、上記第１掛け台は、上記第１支持部と相対回転が可能になるように設置されることを特徴とする体形に合わせた構造を有する肩掛け式多用途掛け具を含む。
【００１２】
上記第２掛け台には輸液が盛られた容器を保持するホルダーが形成され、上記ホルダーは、上記第２掛け台の下部に形成され、一側に輸液注入口を収容するように第１溝が形成され、他側に輸液排出口を収容するように第２溝が形成されて、輸液が盛られた容器を支持する第１支持台と；上記第１支持台の中間部に位置して、輸液が盛られた容器を支持する第２支持台と；上記第２掛け台の上部に位置する突起が少なくとも一つ以上形成された係止部と；を含むことを特徴とする体形に合わせた構造を有する肩掛け式多用途掛け具を含む。
【００１３】
上記第２掛け台は上記第１掛け台で高さ調節可能に形成されることを特徴とする体形に合わせた構造を有する肩掛け式多用途掛け具を含む。
【００１４】
上記第１支持部または上記第２支持部の中の少なくとも何れか一つの下部には緩衝部を含むことを特徴とする体形に合わせた構造を有する肩掛け式多用途掛け具を含む。
【００１５】
上記第２支持部は上記第１支持部から延長されて拡張される面積を有するように形成され、上記湾入部は上記第１支持部の連結部と上記第２支持部との間の間隔が上記第１支持部と上記第２支持部とが連結される部位に行くほど細くなるように形成されて、鎖骨と接触されることが防止されることを特徴とする体形に合わせた構造を有する肩掛け式多用途掛け具を含む。
【００１６】
上記第１支持部の内面は上記肩峰の外形に合わせて同じ形状に形成され、上記第２支持部の内面は上記棘上筋の外形に合わせて同じ形状に形成され、上記湾入部には上記鎖骨が位置するように形成されることを特徴とする体形に合わせた構造を有する肩掛け式多用途掛け具を含む。
【００１７】
上記湾入部には上記鎖骨の突出外形と同じ形状を成すように形成されたアーチ部を含むことを特徴とする体形に合わせた構造を有する肩掛け式多用途掛け具を含む。
【００１８】
上記第２支持部にはバンドホールが形成されたことを特徴とする体形に合わせた構造を有する肩掛け式多用途掛け具を含む。
【００１９】
上記第１支持部の端部には掛け台が設置される回転部を有することを特徴とする体形に合わせた構造を有する肩掛け式多用途掛け具を含む。
【００２０】
上記連結部は、上記支持部の端部で回動可能に設置されるヒンジ部と；上記ヒンジ部で延長され、上記第１支持部に支持される延長部と；を含むことを特徴とする体形に合わせた構造を有する肩掛け式多用途掛け具を含む。
【発明の効果】
【００２１】
以上のような本発明によれば次のような効果を奏する。
【００２２】
第一、使用者の肩の構造に適当に合わせて形状化されているので、使用者は肩に不便を感じることなく楽に輸液をすることができる。
【００２３】
第二、第１掛け台が第１支持部の上面と鈍角を成して使用者の頭と間隔を保持するので、より安定的に着用することができる。
【００２４】
第三、輸液瓶だけでなく輸液パックもかけることができ、掛け台の高さを調節することができるように形成されて活用度が優れる。
【００２５】
第四、第１掛け台が回転可能であるので、掛け台を使用者の前方に回転させて、装着台にスマートフォンなどの機器を装着して使用することができて、使用者便宜性が増大される。
【００２６】
第五、第１掛け台と第２掛け台を利用して高さを調節することができるので、使用者の体形に合わせて調節することができる。
【００２７】
第六、緩衝部を形成することによってより楽に着用することができる。
【００２８】
第七、湾入部が形成されて鎖骨が干渉されなくなって、より楽に着用することができる。
【００２９】
第八、使用者が活動中にも輸液瓶（輸液）を安定的且つ便利に保持ことができることによって、より楽に治療することができる。
【００３０】
第九、ヒンジ部が形成されているので、よりコンパクトに保管することができる。
【００３１】
第十、回転部が回転可能な構造であるので、使用者が所望の方向に調節して最も適する位置で使用することができる。
【図面の簡単な説明】
【００３２】
【図１】本発明の好ましい実施例による全体斜視図である。
【図２】本発明の好ましい実施例による分解斜視図である。
【図３】本発明の好ましい実施例による第１支持部の断面図である。
【図４】本発明の好ましい第２実施例による斜視図である。
【図５】本発明の好ましい第３実施例による着用図である。
【図６】本発明の好ましい第３実施例による斜視図である。
【図７】本発明の好ましい第３実施例による緩衝部の分離斜視図である。
【図８】本発明の好ましい第３実施例による分離斜視図である。
【図９】本発明の好ましい第３実施例によるヒンジ部の作動図である。
【図１０】本発明の好ましい第３実施例による回転部の分離斜視図である。
【発明を実施するための形態】
【００３３】
図１は本発明の好ましい実施例による全体斜視図であり、図３は本発明の好ましい実施例による第１支持部１００の断面図である。
【００３４】
第１支持部１００は肩峰に安着される構造で、内面が凹まれた凹部１０１を形成する。
【００３５】
連結部１５０は第１支持部１００の左右に延長されて形成される。
【００３６】
第２支持部２００は第１支持部１００から延長されて棘上筋に上げられる。
【００３７】
第２支持部２００は第１支持部１００から遠くなるほど面積が増加する第２面３３２を形成する。
【００３８】
第１面３３１は連結部１５０の長手方向の上側隅部に形成される。
【００３９】
湾入部３００は第１面３３１と第２面３３２との間に形成され、第１支持部１００で上側に凸出するように延長される凸出部３１０が形成される。
【００４０】
湾入部３００は使用者の鎖骨が自然に通ることができるようにし、凸出部３１０は使用者の鎖骨を囲むように形成されることによって、使用者がより楽に着用するようにする。
【００４１】
第１支持部１００は使用者の肩峰に適するように内部が凹まれた形状をしていて、使用者がより安定的で楽な着心地を提供する。
【００４２】
第２支持部２００は棘上筋に上げられる部分で、体形に合わせた構造を有する肩掛け式多用途掛け具（以下、肩掛け具と言う）をより安定的に支持する役割を果たし、同時に棘上筋の形状に適する形状をしていて、使用者に安定的で楽な着心地を提供する。
【００４３】
第２支持部２００は第１支持部１００と連結される地点で上側へ凸出された補強部３２０を形成することによって、第２支持部２００がより安定的に肩掛け具を支持するようにする。
【００４４】
連結部１５０は第１支持部１００の固定部１３０で第１掛け台４００を形成する。
【００４５】
第１掛け台４００は上側に第２掛け台５００を形成する。
【００４６】
第１掛け台４００は第１支持部１００の固定部１３０に挿入されて第１固定ねじ１１０に固定される。
【００４７】
第１掛け台４００は第１支持部１００の上面と鈍角を成しながら上方へ延長されて第２掛け台５００に結合される。
【００４８】
第２掛け台５００は輸液瓶を保持することができるように、下部に第１ホルダー５１０が形成され、中間部に第２ホルダー５２０が形成される。
【００４９】
第１ホルダー５１０には輸液瓶が下へ抜けないように支持台５１３が形成される。支持台５１３は矩形輸液パックを収容することができるように第１溝５１１及び第２溝５１２が形成される。
【００５０】
第１溝５１１と第２溝５１２は互いに対称する形状であることが好ましい。
【００５１】
支持台５１３が第１溝５１１と第２溝５１２を形成することによって、輸液パックが矩形を保持することができて、輸液パックに形成された輸液投入部または輸液取出挿入部などが第１溝５１１または第２溝５１２に収容されて、輸液パックを垂直方向に保持することができるので、使用者はより安定的に輸液をすることができる。
【００５２】
より詳しく説明すれば、矩形の輸液パックは、下部に輸液を追加して投入するようにする輸液投入部や輸液を取出する輸液取出挿入部などが形成される。輸液パックは軟質の透明樹脂で形成されているため、輸液投入部や輸液取出挿入部が輸液パックの下部で型が崩れて輸液の移動が困難になる。第１溝５１１または第２溝５１２は輸液パックの下部が支持台５１３の干渉で型が崩れることがないようにするために形成される。
【００５３】
第２ホルダー５２０は第１ホルダー５１０の上部に位置しながら、左右側にラウンド状に延長されて末端部が開口された形状をしているので、開口された部分から輸液瓶が出入りすることができて、輸液瓶を保持することが便利になる。
【００５４】
より詳しくは、輸液瓶が支持台５１３に上げられたまま輸液瓶の横部分が第２ホルダー５２０の開口された部分を押すと、第２ホルダー５２０が左右に若干広がり、輸液瓶が通過すると、再び原状態に戻って支持台５１３で支持された輸液瓶を固定する。
【００５５】
第２掛け台５００は上部に高さが異なる突起を少なくとも一つ以上形成されて、多種類の輸液パックをかけることができるように形成される。
【００５６】
好ましくは、第１突起５３１は第２掛け台５００の上端で突出して形成されて１０００ｃｃ以上の輸液パックをかけることができ、第２突起５３２は第２掛け台５００の中間で突出して形成されて５００ｃｃの輸液パックをかけることができる。
【００５７】
第２掛け台５００には第１ホルダー５１０と第２ホルダー５２０及び係止部５３０が形成されることによって、輸液瓶または輸液パックが使用者が歩くなど動きによって揺れないでより安定的に支持されることができる。
【００５８】
連結部１５０には使用者の肩峰から胸の方向へ斜めに延長される水平連結部１５１が形成され、水平連結部１５１からまた使用者のわきの方向に傾斜するように形成される垂直連結部１５２が形成される。
【００５９】
垂直連結部１５２は、使用者が肩掛け具を着用する時、使用者の腕の動きによる干渉を最小化するように、使用者のわきの空間方向に傾斜して形成されることが好ましい。
【００６０】
水平連結部１５１には、第２着脱部７１１を形成して使用者の胸を囲む第２バンド７００が着脱されることができるように形成される。
【００６１】
垂直連結部１５２には、第２着脱部７１１の下に配置され、使用者のわきを囲む第１バンド６００が着脱されることができるように第１着脱部６１１が形成される。
【００６２】
第１バンド６００には使用者の体形に合わせてバンドの長さを調節することができるように第１締付部６１０が形成される。
【００６３】
第２バンド７００には使用者の体形に合わせてバンドの長さを調節することができるように第２締付部７１０が形成される。
【００６４】
緩衝部８００は肩掛け具の内側で肩掛け具と対応される形状をしながら附着されることが好ましい。
【００６５】
緩衝部８００は肩掛け具に着脱可能に形成されることができて、衝撃を吸収することができ、通気性の良い材質で形成されることが好ましい。
【００６６】
第１支持部１００は固定部１３０で多角溝１４０を形成する。
【００６７】
第１掛け台４００で、第１結合部４１０が多角溝１４０と対応される形状をしながら多角溝１４０に挿入される。
【００６８】
第１結合部４１０が多角溝１４０に挿入され、第１支持部１００の上面に設けられた第１固定ねじ１１０が第１結合部４１０に形成されたねじ溝に結合されながら第１掛け台４００は第１支持部１００に固定される。
【００６９】
第１掛け台４００は上部に第２結合部４２０が形成され、第２結合部４２０には第２固定ねじ４３０が形成される。
【００７０】
第２結合部４２０は第２掛け台５００に形成される第２締結部５４０に挿入されて第２固定ねじ４３０で固定される。
【００７１】
第２締結部５４０は第２結合部４２０で高さ調節可能に形成される。
【００７２】
図４は本発明の好ましい第２実施例による斜視図である。
【００７３】
第１掛け台４００は、図２のように、第１結合部４１０を基準に回転可能に形成されることもでき、使用者は第２掛け台５００にスマートフォン、タブレットＰＣ、ｍｐ３プレーヤーなどの周辺器機１０００を固定して、使用者が目の前で周辺器機１０００を使うようにすることもできる。
【００７４】
使用者は左肩に肩掛け具を着用する場合、図４のように、目の前で周辺器機１０００を見ながら使うことができる。
【００７５】
また、肩掛け具は前後に対称する形状をしていて、使用者の右肩や左肩の何れでも使うことができるように形成される。
【００７６】
次に、本発明の好ましいまた他の実施例について添付した図面を参照しながら詳しく説明する。
【００７７】
図５は本発明の好ましい第３実施例による着用図であり、図６は本発明の好ましい第３実施例による斜視図である。
【００７８】
第１掛け台４００の上側には第２掛け台５００が設置される。
【００７９】
第１掛け台４００の下側には回転部９００に締結される第１嵌合部４０３が形成されており、第１掛け台４００の上側には第２掛け台５００に締結される第２嵌合部４０１が形成される。
【００８０】
ボタン部４０５は第１掛け台４００の第２嵌合部４０１の下側に設置されており、ボタン部４０５は第２掛け台５００に形成された第２締結部５０４で装着脱装可能な構造に形成される。
【００８１】
第１嵌合部４０３の上面にもボタンが形成されているので、第１嵌合部４０３が回転部９００でボタンによって着脱可能である。
【００８２】
図７は本発明の好ましい第３実施例による緩衝部８００の分離斜視図である。
【００８３】
本発明での肩掛け具は使用者の右肩または左肩に選択的に使用可能である。
【００８４】
図６を参照すれば、第２支持部２００の右側には細長く穿孔された第１バンドホール２１０が形成されており、第２支持部２００の左側には細長く穿孔された第２バンドホール２２０が形成されている。
【００８５】
第１連結バンド７５１は、一側が第２バンドホール２２０に連結され、他側がコネクター７５０に連結される。
【００８６】
第２連結バンド７５２は、一側が着脱板７４１に連結され、他側がコネクター７５０に連結される。
【００８７】
第３連結バンド７５３は、一側がコネクター７５０に連結されて、使用者の背中から前方を囲む。
【００８８】
着脱板７４１は着脱溝７４０から着脱可能であり、着脱溝７４０の上部にはヒンジ部１５４が形成されている。
【００８９】
回転部９００は肩掛け具の上部で回動可能に設置される。
【００９０】
図７によれば、緩衝部８００は肩掛け具の内側で肩掛け具と対応する形状を有し、着脱可能である。
【００９１】
緩衝部８００は衝撃を吸収することができ、通気性の良い材質で形成されることが好ましい。
【００９２】
図８は本発明の好ましい第３実施例による分離斜視図である。
【００９３】
連結部１５０に形成されたホース掛け部１５７がホースＨを案内するのでホースＨが捩れることが防止される。
【００９４】
係止部５３０は輸液瓶をかけることができるように第２掛け台５００に形成される。
【００９５】
図９は本発明の好ましい第３実施例によるヒンジ部１５４の作動図である。
【００９６】
連結部１５０にはヒンジ部１５４が形成されている。
【００９７】
ヒンジ部１５４は第１支持部１００で回動可能に連結されている。
【００９８】
連結部１５０はヒンジ部１５４を通って延長される延長部１５３を有する。
【００９９】
延長部１５３はヒンジ部１５４で回動して、図９のように折り畳む時第１支持部１００から離脱される。
【０１００】
反対に、使用者が肩掛け具を用いる時には、延長部１５３が第１支持部１００に支持されることによって安定的に用いることができる。
【０１０１】
使用者は、肩掛け具を保管する際、連結部１５０をヒンジ部１５４を基準にして畳んでコンパクトに保管することができる。
【０１０２】
図１０は本発明の好ましい第３実施例による回転部９００の構成を示す分離斜視図である。
【０１０３】
回転部９００は上蓋９１０と、上蓋９１０に挿入される挿入部材９２０と、挿入部材９２０と上蓋９１０とが安着されるベース部９３０と、上蓋９１０と挿入部材９２０とをベース部９３０で回動可能にするが離脱されないように結合させる下蓋９５０とで構成される。
【０１０４】
上蓋９１０の側面には第１掛け台の第１嵌合部が挿入されるように入口９１３が形成されている。
【０１０５】
ボタン溝９１１は上蓋９１０の上端に形成されている。
【０１０６】
ボタン溝９１１には第１掛け台の第１嵌合部の上端に形成されたボタンが締結される。
【０１０７】
挿入部材９２０は下面部９２５を有し、全体的に円筒状の柱形をしている。
【０１０８】
挿入部材９２０の上端には中心軸を中心に細長い第１突起９２１が形成されている。
【０１０９】
第１突起９２１は上蓋９１０の下側面に形成された溝（図示しない）に嵌め込まれて、挿入部材９２０が上蓋９１０の下側面で堅固に支持されながら結合する。
【０１１０】
挿入部材９２０の上部側面には円周面に沿って固定溝９２３が複数形成されている。
【０１１１】
ベース部９３０には、収容部９３２の周りに第１安着面９３４が形成され、段差９３３とピン９３１を有する構造からなっている。
【０１１２】
より詳しく説明すると、ベース部９３０は挿入部材９２０が収容されるように円形の中空に形成された収容部９３２を有する。
【０１１３】
第１安着面９３４は収容部９３２の辺縁に沿って形成された偏平な形状の面で上蓋９１０が載せられる。
【０１１４】
ベース部９３０にはピン９３１が貫通して挿入されるように、ベース部９３０の前方側面にピン９３１の直径に対応するホールが形成されている。
【０１１５】
段差９３３はベース部９３０の前方側面の中間に形成される。
【０１１６】
レバー９４０は左面と右面を貫通するホールでベース部９３０に設置されるピン９３１が収容される。
【０１１７】
レバー９４０は、図面を基準にする時、左側に突出された取っ手９４２を有し、取っ手９４２で垂直に延長される支持面９４３を有する。
【０１１８】
レバー９４０は支持面９４３の上端で再び右側に突出された固定突起９４１を有する。
【０１１９】
レバー９４０はベース部９３０に形成された段差９３３にピン９３１によって結合される。
【０１２０】
ピン９３１はベース部９３０の前方左面を貫通した後、レバー９４０に形成されたホールを通ってベース部９３０の前方右面を貫通する。
【０１２１】
スプリング９４４が段差９３３とレバー９４０の支持面９４３との間に設置されるので、レバー９４０の固定突起９４１は常に挿入部材９２０の固定溝９２３の方向に力を受ける。
【０１２２】
下蓋９５０は挿入部材９２０の下面部９２５を収容するように第２安着面９５１を有する。
【０１２３】
第２安着面９５１の上部には上記挿入部材９２０に形成された第１突起９２１と同じ形状の第２突起９５２が形成される。
【０１２４】
第２突起９５２は挿入部材９２０の下面部９２５に形成された溝（図示しない）に固定される。
【０１２５】
フランジ部９５３は第２安着面９５１の辺縁から延長され、直径がベース部９３０の収容ホールより大きく形成されている。
【０１２６】
言い換えれば、下蓋９５０は挿入部材９２０が設置された上蓋９１０とねじ９６０で締結されて、上蓋９１０がベース部９３０で回動可能であるが離脱されないようにする。
【０１２７】
次に、使用者が回転部９００を回転する作動について説明する。
【０１２８】
使用者がレバー９４０の取っ手９４２を下方へ押すと、ピン９３１を中心にレバー９４０が回転しながら固定突起９４１は固定溝９２３から離脱されて、回転部９００が回転することができる。
【０１２９】
回転部９００が回転した状態でレバー９４０の取っ手９４２を離すと、レバー９４０はスプリング９４４によってピン９３１を中心に回転して、固定突起９４１は固定溝９２３に嵌められる。
【０１３０】
固定突起９４１が固定溝９２３に締結されることによって回転部９００は回転することができないように固定される。
【０１３１】
本発明はその目的及び技術的思想から見て、本発明の実施例に限定されるのではなく、本発明から容易に創作することができる程度の技術水準は、本発明の権利範囲に属するものであることは自明である。また、本発明から商業的な設計変更の水準、模様の変化、材質の変化、部品数の増減、色相の変化など本発明の技術と均等範囲であったり、下位概念に属する技術に対しては一々言及しないことを付け加えて説明する。
【符号の説明】
【０１３２】
１００  第１支持部
１０１  凹部
１１０  第１固定ねじ
１２０  上面
１３０  固定部
１４０  多角溝
１５０  連結部
１５３  延長部
１５４  ヒンジ部
１５７  ホース掛け部
１５１  水平連結部
１５２  垂直連結部
２００  第２支持部
２１０  第１バンドホール
２２０  第２バンドホール
３００  湾入部
３１０  凸出部
３３１  第１面
３３２  第２面
４００  第１掛け台
４０１  第２嵌合部
４０３  第１嵌合部
４０５  ボタン部
５００  第２掛け台
５１０  第１ホルダー
５１１  第１溝
５１２  第２溝
５１３  支持台
５２０  第２ホルダー
５３０  係止部
５３１  第１突起
５３２  第２突起
５４０  第２締結部
６００  第１バンド
６１０  第１締付部
６１１  第１着脱部
７００  第２バンド
７１０  第２締付部
７１１  第２着脱部
７４０  着脱溝
７４１  着脱板
７５０  コネクター
７５１  第１連結バンド
７５２  第２連結バンド
７５３  第３連結バンド
８００  緩衝部
９００  回転部
１０００  周辺器機
【図１】
2014528320.tif 000003
【図２】
2014528320.tif 000004
【図３】
2014528320.tif 000005
【図４】
2014528320.tif 000006
【図５】
2014528320.tif 000007
【図６】
2014528320.tif 000008
【図７】
2014528320.tif 000009
【図８】
2014528320.tif 000010
【図９】
2014528320.tif 000011
【図１０】
2014528320.tif 000012
【国際調査報告】
2014528320.tif 000013
2014528320.tif 000014
2014528320.tif 000015
2014528320.tif 000016